(57)【特許請求の範囲】
【請求項１】
ドアに固定されるケーシングと、このケーシング内を前後動することによってその一端部からロック片を出没し得るように内装され、かつ、上記ロック片が上記ケーシングから突出した状態でドアがロックされるロックブロックと、上記ケーシングに設けられ、かつ、上記ロック片の出没操作を行うハンドルと、上記ロック片の外部への突出状態をドアの外側から施錠する施錠手段とが備えられ、上記ケーシング内には、上記ロック片が外部に突出するように上記ロックブロックを付勢する付勢手段と、所定の動作により上記付勢手段の付勢力に抗して上記ロック片がケーシング内に没入するように上記ロックブロックを引き入れる操作片とが設けられ、この操作片は、上記ハンドルの操作でロックブロックが引き入れられるようにハンドルと連携されてなるドアロック構造において、
上記ロックブロックを突出させる位置に位置設定されたハンドルのロックブロック側の端縁に対し干渉してハンドルの回動操作を阻止する干渉位置と、上記干渉が解除されることによりハンドルの回動操作を可能にする解除位置との間で位置変更可能にケーシングに内装された干渉部材が備えられ、この干渉部材は、干渉位置に位置設定された状態で、ハンドルのロックブロック側の端縁が当接する面と反対側の面が、ケーシングの対向壁面間に一体に架橋された隔壁に摺接状態で支持され、上記隔壁には、下縁部から上方に向かって切り込まれることによって形成した、ロックブロックを通すための切込み溝が設けられ、上記ロックブロックは、上記隔壁の後方で上記操作片に連結されていることを特徴とするドアロック構造。
【請求項２】
上記操作片は、上記ハンドルが上記施錠手段によって施錠された状態で上記ロックブロックを引き戻し得るように構成され、上記ケーシングの裏面側には上記操作片の操作をドアの内側から行うための操作孔が穿設されていることを特徴とする請求項１記載のドアロック構造。
【請求項３】
上記操作片および上記ハンドルは、いずれもケーシング内に設けられた支持軸回りに回動自在に軸支され、上記ロックブロックは、ハンドル操作に連動した操作片の支持軸回りの所定方向への回動によってロック片がケーシング内に没入するように操作片に連結され、上記操作片は、ハンドル操作と独立して上記所定方向への支持軸回りの回動を行い得るようにハンドルに当接されていることを特徴とする請求項２記載のドアロック構造。
【発明の詳細な説明】
【０００１】
【発明の属する技術分野】
本発明は、冷蔵庫のドア等への使用が好適なドアロック構造に関するものである。
【０００２】
【従来の技術】
大型の冷蔵庫には、開閉操作用のハンドルを動かないようにロックすることによって閉止されたドアが開かないようにする施錠装置が設けられていることがある。特に業務用の大型の冷蔵庫においては、人が無断で庫内に入り込むと危険であるため、および庫内の冷蔵品の盗難を防止するため、施錠装置が付設されているのが一般的である。かかる施錠装置は、ドアが閉じられた状態でキーをキー孔に差し込み、キー操作を行うことでドアの開放がロックされる一方、キーを逆操作することによって上記ロックが解除されるようになっている。
【０００３】
【発明が解決しようとする課題】
ところで、上記のような施錠装置は、ハンドルとは全く別の位置に設けられる施錠専用のものと、ハンドルと共用されるものとがある。施錠専用のものは、ドアーにハンドルとは別に設けられることから、スペース的に余裕があるため、施錠装置が構造的に特に問題となることはないが、ハンドルと共用された施錠装置にあっては、狭隘なハンドル装置の中でロック時にハンドルを施錠装置の所定の部材に干渉させるように構成しなければならず、その分構造的に複雑になるとともに、強度的に頑丈なものにし難く、従って、確実なロック状態を得ることが困難になり、強くハンドル操作を行うことによって施錠装置が破損し、ドアが開放されてしまうことがあるという問題点を有している。
【０００４】
本発明は、上記のような問題点を解決するためになされたものであり、簡単な構造でありながら、確実なドアのロック状態を確保することができるドアロック構造を提供することを目的としている。
【０００５】
【課題を解決するための手段】
本発明の請求項１記載のドアロック構造は、ドアに固定されるケーシングと、このケーシング内を前後動することによってその一端部からロック片を出没し得るように内装され、かつ、上記ロック片が上記ケーシングから突出した状態でドアがロックされるロックブロックと、上記ケーシングに設けられ、かつ、上記ロック片の出没操作を行うハンドルと、上記ロック片の外部への突出状態をドアの外側から施錠する施錠手段とが備えられ、上記ケーシング内には、上記ロック片が外部に突出するように上記ロックブロックを付勢する付勢手段と、所定の動作により上記付勢手段の付勢力に抗して上記ロック片がケーシング内に没入するように上記ロックブロックを引き入れる操作片とが設けられ、この操作片は、上記ハンドルの操作でロックブロックが引き入れられるようにハンドルと連携されてなるドアロック構造において、上記ロックブロックを突出させる位置に位置設定されたハンドルのロックブロック側の端縁に対し干渉してハンドルの回動操作を阻止する干渉位置と、上記干渉が解除されることによりハンドルの回動操作を可能にする解除位置との間で位置変更可能にケーシングに内装された干渉部材が備えられ、この干渉部材は、干渉位置に位置設定された状態で、ハンドルのロックブロック側の端縁が当接する面と反対側の面が、ケーシングの対向壁面間に一体に架橋された隔壁に摺接状態で支持され、上記隔壁には、下縁部から上方に向かって切り込まれることによって形成した、ロックブロックを通すための切込み溝が設けられ、上記ロックブロックは、上記隔壁の後方で上記操作片に連結されていることを特徴とするものである。
【０００６】
このドアロック構造によれば、施錠手段の施錠操作で干渉部材を干渉位置に位置設定することにより、干渉部材は、ハンドルのロックブロック側端縁に当接される面と反対側の面が、ケーシングの対向壁面間に一体に架橋された隔壁に支持されているため、施錠状態でハンドルを強く操作することによりその端縁が干渉部材に当接してそれを強く押圧しても、干渉部材は隔壁に支持されていることによってハンドル操作が確実に阻止され、これによって施錠状態でありながら強いハンドル操作で施錠機構が破壊されてドアーが開いてしまったり、その後施錠手段が使用不能になるような従来の不都合が確実に回避される。
【０００７】
本発明の請求項２記載のドアロック構造は、請求項１記載のドアロック構造において、上記操作片は、上記ハンドルが上記施錠手段によって施錠された状態で上記ロックブロックを引き戻し得るように構成され、上記ケーシングの裏面側には上記操作片の操作をドアの内側から行うための操作孔が穿設されていることを特徴とするものである。
【０００８】
このドアロック構造によれば、ハンドル操作でロックブロックのロック片をハウジング内に没入させた状態でドアを閉止することにより、ロックブロックは付勢手段の付勢力によってロック片を突出させる方向に移動し、これによってロック片がドア外部のフック部材に係止され、ドアがロックされた状態になる。また、ドアがロックされた状態でハンドルを所定の方向に操作することにより操作片の働きでロックブロックが引き戻されてロック片がケーシング内に没入するため、ドアのロック状態が解除され、ドアは開放し得るようになる。
【０００９】
従って、ロック片がケーシングから外部に突出した状態でハンドルが施錠されてハンドル操作を行い得ない場合でも、ケーシングの裏面側の操作孔からの操作によって外操作片を操作することにより、ハンドル操作と独立してロックブロックをケーシング内に引き入れることができるため、ドアがロックされて施錠されていても、ドアの内側からの操作片の操作でロック状態を解除することができる。このドアロック構造を、例えば冷蔵庫に適用することにより、従来頻発していた冷蔵庫内への閉じ込め事故を確実に防止することができる。
【００１０】
本発明の請求項３記載のドアロック構造は、請求項２記載のドアロック構造において、上記操作片および上記ハンドルは、いずれもケーシング内に設けられた支持軸回りに回動自在に軸支され、上記ロックブロックは、ハンドル操作に連動した操作片の支持軸回りの所定方向への回動によってロック片がケーシング内に没入するように操作片に連結され、上記操作片は、ハンドル操作と独立して上記所定方向への支持軸回りの回動を行い得るようにハンドルに当接されていることを特徴とするものである。
【００１１】
このドアロック構造によれば、通常は、ハンドルを所定の方向に操作することにより、ハンドルは支持軸回りに回動するとともに、操作片はハンドルに同心で同伴回動してロックブロックをケーシング内に引き入れるため、ロック片がケーシング内に没入してドアロックが解除される。
【００１２】
また、操作片は、それを直接操作することによってハンドルとは独立した状態で支持軸回りに回動してロックブロックをケーシング内に引き入れるように動作するため、たとえハンドルが施錠されていても操作片の操作のみでドアロックを解除することができる。
【００１３】
そして、ハンドルと操作片とはいずれも一つの支持軸回りに回動自在に軸支されているため、ドアのロック状態を解除する機構を簡単な構造にすることが可能であり、これによって故障が起こり難くなるとともに、ロック解除操作が単純になり、緊急時に確実、かつ、迅速にロック解除を行い得るようになる。
【００１４】
【発明の実施の形態】
図１は、本発明に係るドアロック構造が適用されたロック装置の一実施形態を示す分解斜視図であり、図２は、図１のロック装置の組み立て斜視図である。また、図３は、図２のＡ−Ａ線断面図である。なお、これらの図において、Ｘ−Ｘ方向を幅方向、Ｙ−Ｙ方向を前後方向、Ｚ−Ｚ方向を上下方向といい、特に−Ｘ方向を左方、＋Ｘ方向を右方、−Ｙ方向を前方、＋Ｙ方向を後方、−Ｚ方向を下方、＋Ｚ方向を上方という。
【００１５】
これらの図に示すように、ロック装置１は、冷蔵庫のドアＤ（図２）に取り付けられる、底部が開口したケーシング２と、このケーシング２の底部の開口を閉止する底蓋３と、摺動可能状態で上記ケーシング２に内装されるロックブロック４と、外部からの操作で上記ロックブロック４を摺動させる操作片５と、上記ケーシング２に設けられ、かつ、上記操作片５を介して上記ロックブロック４を操作するハンドル６と、このハンドル６の操作をロックするロックロッド７と、ハンドル６の操作を施錠する施錠手段８とを備えた基本構成を有している。
【００１６】
上記ケーシング２は、中央部が凹没した幅方向一対の側壁２１と、一対の側壁２１間の前方に設けられた前面壁２２および前方上部に設けられた天井板２３とを備えて形成されている。上記前面壁２２にはロックブロック４の先端部を外部に突出させるための切欠き溝２２ａが設けられている。
【００１７】
そして、上記一対の側壁２１に挟持された空間には、前側寄りの部分で天井板２３から下方に延びた幅方向一対の前方隔壁２４が設けられているとともに、後側寄りの部分には同様の後方隔壁２５が設けられており、上記前方隔壁２４と前面壁２２との間に上記ロックブロック４を装着する前室２ａが形成されているとともに、前方隔壁２４と後方隔壁２５との間に上記操作片５を装着する中間室２ｂが形成されている。また、後方隔壁２５より後方に上記ロックロッド７を装着する後室２ｃが形成されている。
【００１８】
また、ケーシング２には、各側壁２１の中央部が凹没されて形成した凹没部２７が設けられている。なお、図１には右方側の凹没部２７のみが示されている。この凹没部２７は、合成樹脂製のカバー２８を装着するためのものであり、その下端縁部と上縁部には、それぞれ前後方向一対の装着孔２７ａが穿設されている一方、カバー２８の上記各装着孔２７ａに対応した部分には、それぞれ装着爪２８ａが突設され、これらの装着爪２８ａを対応した装着孔２７ａに嵌入することによって、図２に示すように、カバー２８がケーシング２に装着された状態になるようにしている。
【００１９】
また、図４は、図３のＢ−Ｂ線断面図であるが、中間室２ｂの前方隔壁２４よりも若干後方にはケーシング２の対向側壁間に架橋された、図４に示すような中央隔壁（隔壁）２６が設けられている。この中央隔壁２６の上縁部には、後述する干渉板（干渉部材）８１を嵌め込むための嵌挿凹溝２６ａが凹設されているとともに、幅方向の両側部に下縁部から上方に向かって切り込まれて形成した一対の切込み溝２６ｂが凹設されている。そして、これら一対の切込み溝２６ｂ間に舌片２６ｃが形成されている。切込み溝２６ｂの溝深さ寸法は、ロックブロック４の上下寸法より若干長めに設定されている。
【００２０】
上記各側壁２１には、中間室２ｂの前後方向略中央部の上方に互いに対向して幅方向に貫通した部分に軸支孔２１ａが穿設されているとともに、後室２ｃの上方部分に互いに対向した一対の係止孔２１ｂが穿設されている。
【００２１】
上記底蓋３は、ケーシング２の底部開口に略対応した形状の板状体によって形成されている。この底蓋３には、前後方向に長い長孔３１が穿設されている一方、上記前方隔壁２４および後方隔壁２５の下端面には上記各長孔３１に対応したねじ孔２４ａ（図３）が螺設され、底蓋３でケーシング２の底部開口を閉止した状態でねじを各長孔３１を通して各ねじ孔２４ａに螺着締結することにより、底蓋３がケーシング２に固定されるようになっている。
【００２２】
また、底蓋３の前後方向中央部の幅方向両側には、一対の装着用ねじ孔３２が螺設されており、この装着用ねじ孔３２に裏側からドアＤを貫通したボルトを螺着して締結することにより、ロック装置１がドアＤに固定されるようになっている。なお、ボルトは、凹没部２７側から螺着するようにしてもよい。また、底蓋３の後方の幅方向中央部には操作孔３３が穿設され、ロック装置１がロック状態であっても、この操作孔３３からの後述する所定の操作でロック状態を解除し得るようになっている。
【００２３】
上記ロックブロック４は、角柱状のブロック本体４１と、このブロック本体４１の前端部に前方に延びるように延設されたロック片４２とからなっている。上記ロック片４２は、その幅寸法がケーシング前面壁２２の切欠き溝２２ａの幅寸法より若干小さめに寸法設定されているとともに、上記ブロック本体４１は上記切欠き溝２２ａより太幅に設定されている。このようなロックブロック４は、ロック片４２が切欠き溝２２ａ嵌まり込むとともに、ブロック本体４１がケーシング２の前方隔壁２４間の隙間に嵌まり込むことにより、その後方が中間室２ｂに没入した状態でケーシング２の前室２ａに装着されるようになっている。
【００２４】
また、ロックブロック４は、その後端部に幅方向一対の後方に延びるブラケット４３を有しているとともに、各ブラケット４３には、上記操作片５と連結するための幅方向に貫通した上下方向に長い連結孔４４が穿設されている。また、ブラケット４３より前方側のブロック本体４１には、上記舌片２６ｃが遊嵌される上下方向に貫通した角孔４５が設けられているとともに、この角孔４５の前方には、底部が開口した前後方向に延びるばね装着室４６が設けられている。
【００２５】
そして、ロックブロック４がケーシング２内に装着された状態でこのばね装着室４６内にコイルばね（付勢手段）４７を圧縮状態で装着することにより、コイルばね４７は、その付勢力によってばね装着室４６内で上記舌片２６ｃとばね装着室４６の前面壁とを押圧した状態になり、これによってロック片４２が切欠き溝２２ａから外部に突出するようになっている。
【００２６】
上記ロック片４２は、下方側に円弧形状に形成された誘い面４２ａを有しており、ドアＤを閉じるに際し、この誘い面４２ａが冷蔵庫のフック部材Ｆ（図２）に当ってロックブロック４を後方に向かわせる力が生じ、これによってロックブロック４はコイルばね４７の付勢力に抗してケーシング２内に没入するとともに、誘い面４２ａがフック部材Ｆを通過した後は、コイルばね４７の付勢力でロック片４２が切欠き溝２２ａから外部に突出し、これによるロック片４２のフック部材Ｆへの係止でドアＤの閉止状態が維持されるようになっている。
【００２７】
上記操作片５は、異型の六角形状の板状体によって形成され、後方が尖った三角形状の操作片本体５１と、この操作片本体５１の上端部から前方に向かって突設された梃子片５２と、操作片本体５１の前方で下方に向かって突設された軸受片５３とからなっている。このような操作片５の操作片本体５１には、梃子片５２より若干後方部分に幅方向に貫通した上部軸支孔５１ａが穿設されているとともに、軸受片５３における軸支孔５１ａの直下の部分には下部軸支孔５３ａが穿設されている。
【００２８】
そして、操作片５がケーシング２の中間室２ｂに装入された状態で上部かしめ軸（支持軸）５４が一対の側壁２１の軸支孔２１ａおよび操作片５の上部軸支孔５１ａに挿通されてかしめられることにより、操作片５が中間室２ｂ内で上部かしめ軸５４回りに回動自在に軸支されるとともに、下部かしめ軸５５が一対のロックブロック４のブラケット４３の連結孔４４および操作片５の下部軸支孔５３ａに挿通されてかしめられることにより、操作片５の上部かしめ軸５４回りの正逆回動でロックブロック４が前後動するようになっている。
【００２９】
上記操作片本体５１の上縁部には、後下がりに傾斜した傾斜面５１ｂが形成されているとともに、同下縁部には、操作縁面５１ｃが形成されている。そして、上記底蓋３の操作孔３３は、この操作縁面５１ｃに対向するように穿設位置が設定され、これによって操作孔３３を通して鉛筆その他の棒状体をケーシング２内に差し込むことによって棒状体の先端が操作縁面５１ｃに当接し、これによって操作片５を押圧操作し得るようになっている。
【００３０】
上記ハンドル６は、弓なりに湾曲されて形成した把手６１と、この把手６１から前方に向かって延設された断面視でコ字形状のコ字部材６２とを備えて形成されている。上記コ字部材６２は、幅方向一対の側板６３とこれら一対の側板６３上端縁間に架橋された天板６４とから構成され、一対の側板６３と天板６４とに囲繞された空間によって上記操作片本体５１が嵌まり込む逃げ空間６ａが形成されている。上記各側板６３の中央部分より若干前方に寄った部分には、上記ケーシング２の軸支孔２１ａに対応した貫通孔６３ａがそれぞれ穿設されている。
また、この貫通孔６３ａの前方側の天板６４によって上記操作片５の梃子片５２に当接する当接部６４ａ（図３）が形成されている。
【００３１】
また、ハンドル６の前端部には、下方に向かって折り曲げられた状態の当接突片６５が設けられている。この当接突片６５は、施錠手段８による施錠状態で先端部が後述の干渉板８１に当止するものであり、これによってハンドル６の後述する上部かしめ軸５４回りの回動が阻止されるようにようになっている。
【００３２】
そして、各側板６３をケーシング２の側壁２１間に嵌め込んだ状態で操作片５の梃子片５２をハンドル６の逃げ空間６ａ内に嵌め込み、この状態でケーシング２の軸支孔２１ａおよびコ字部材６２の貫通孔６３ａに上部かしめ軸５４を差し込んでかしめ止めすることにより、ハンドル６がケーシング２に装着された状態になるようにしている。そして、このようなハンドル６は、上部かしめ軸５４回りの正逆回動操作によって、把手６１がドアＤと平行な平行姿勢と、ドアＤに対して傾斜した傾斜姿勢との間で姿勢変更可能になっている。
【００３３】
また、上記コ字部材６２の後端部には、側板６３を幅方向に貫通したロック孔６２ａが穿設されている。各ロック孔６２ａは、上記係止孔２１ｂに対応して同一径寸法に設定され、把手６１が平行姿勢に設定された状態で係止孔２１ｂと同心で対向するように穿設位置が設定されている。
【００３４】
上記ロックロッド７は、棒体７１と、この棒体７１の頂部に形成された頭部７２とからなっている。上記棒体７１は、径寸法が係止孔２１ｂの内径寸法より若干小さめに設定されているとともに、上記頭部７２は、径寸法が係止孔２１ｂの内径寸法よりも大きく設定され、これによって、把手６１が平行姿勢に設定された状態で、ロックロッド７を上部から軸支孔２１ａに差し通すことにより、棒体７１が係止孔２１ｂおよびロック孔６２ａを貫通して先端が下部に抜け出るようになっている。
【００３５】
図５は、施錠手段の分解斜視図である。また、図６および図７は、施錠手段８を説明するためのロック装置１の部分切り欠き斜視図であり、図６は、施錠手段８による施錠が解除された状態、図７は、施錠手段８により施錠された状態をそれぞれ示している。これらの図並びに先の図１および図４に示すように、施錠手段８は、上記中央隔壁２６の嵌挿凹溝２６ａに嵌め込まれる干渉板８１と、この干渉板８１を天井板２３に取り付ける取付けねじ８２と、干渉板８１を付勢するコイルばね８３と、干渉板８１をケーシング２の前室２ａ内で前後動させるシリンダ錠８４とからなっている。
【００３６】
上記干渉板８１は、平面視で矩形状に形成され、ケーシング２の前室２ａ内で前後動し得るように寸法設定されている。かかる干渉板８１には、ハンドル６側に幅方向に長尺の操作孔８１ａが穿設されているとともに、この操作孔８１ａの前方（図６の左方）位置に操作孔８１ａと直交する方向に長尺の案内孔８１ｂが穿設されている。
【００３７】
一方、ケーシング２の天井板２３の下面には、案内孔８１ｂに対応した位置に有底のばね装着孔２３ａが穿設されているとともに、同下面の操作孔８１ａに対応した位置にはシリンダ錠装着孔２３ｂが貫通穿設されている。そして、コイルばね８３をばね装着孔２３ａに嵌挿し、かつ、干渉板８１をロックブロック４のブロック本体４１上面の前室２ａ内に嵌め込んだ状態で、筒状のスペーサー８２ａに挿通された取付けねじ８２を干渉板８１の裏面側から案内孔８１ｂおよびコイルばね８３に差し通し、コイルばね８３の先端をばね装着孔２３ａの天井面に螺設された雌ねじに螺着して締結することにより、干渉板８１は、がたつきが抑えられた状態で案内孔８１ｂの範囲内において前後動し得るようになっている。
【００３８】
なお、上記スペーサー８２ａは、取付けねじ８２を装着孔２３ａの天井部に螺着したとき、取付けねじ８２の頭部で干渉板８１が締め付けられるのを防止するものであり、このスペーサー８２ａの存在で干渉板８１の円滑な前後動が確保される。なお、図３および図６〜図８においては、図示の都合上、スペーサー８２ａを省略して描いている。
【００３９】
かかる干渉板８１は、その後端部（図６および図７の右方）が中央隔壁２６の嵌挿凹溝２６ａに摺接状態で嵌まり込むように幅寸法および長さ寸法が設定されている。従って、干渉板８１は、常に中央隔壁２６に支持された状態で前後動することになる。
【００４０】
上記シリンダ錠８４は、圧入状態でシリンダ錠装着孔２３ｂに嵌入されるものであり、外筒８５と、この外筒８５に同心かつ摺接状態で嵌め込まれた内筒８６とからなっている。内筒８６は、外筒８５に対して摺接しながら回転可能になっている。かかる内筒８６の底部には、上記干渉板８１の操作孔８１ａに摺接状態で嵌まり込む操作突起８６ａが突設されているとともに、上面には所定のキーを差し込むキー孔８６ｂが設けられている。
【００４１】
このキー孔８６ｂにキーを差し込んで回動操作することによる操作突起８６ａの軸心回りの回動によって、干渉板８１が操作孔８１ａを介して前後動し、図７に示すように、後端縁がハンドル６の当接突片６５と干渉する干渉位置と、図６に示すように、この干渉が解除された解除位置との間で位置変更し得るようになっている。
【００４２】
そして、干渉板８１が、図６に示すように、解除位置に位置設定された状態では、干渉板８１の後縁部がハンドル６の当接突片６５に干渉していないため、ハンドル６を、実線で示す平行姿勢と、二点鎖線で示す傾斜姿勢との間で上部かしめ軸５４回りに回動操作することが可能になり、これによってロックブロック４は、そのロック片４２が前室２ａから出没可能になる。
【００４３】
これに対し干渉板８１が干渉位置に位置設定された状態では、図７に示すように、干渉板８１の後縁部がハンドル６の当接突片６５に干渉し、これによってハンドル６は、上部かしめ軸５４回りの回動が阻止された状態になっているため、平行姿勢に姿勢設定されたハンドル６を傾斜姿勢に姿勢変更することができなくなっており、たとえハンドル６を握って手前に引いてもドアＤは開けることができない。
【００４４】
そして、干渉板８１が干渉位置に位置設定された状態では、干渉板８１は、その後縁部が嵌挿凹溝２６ａに嵌まり込んだ状態でケーシング２と一体の中央隔壁２６に支持されているため、平行姿勢に姿勢設定されているハンドル６を強く手前に引いても、干渉板８１は、変形したりすることなく、その干渉位置が確実に維持される。
【００４５】
図８は、本発明の作用を説明するための説明図であり、（イ）はロック装置１がロックされた状態、（ロ）はハンドル６を操作することなくロック装置１のロックが解除された状態をそれぞれ示している。
【００４６】
まず、図８の（イ）に示す状態においては、ハンドル６がドアＤに平行な平行姿勢に設定されているとともに、ロックブロック４がコイルばね４７の付勢力によって前方に移動し、これによってロック片４２がケーシング２の切欠き溝２２ａから前方に突出して冷蔵庫本体のフック部材Ｆに係止された状態になっている。この状態で把手６１を、二点鎖線で示すように、上方に向けて操作すると、ハンドル６は上部かしめ軸５４回りに反時計方向に回動し、これによってコ字部材６２の当接部６４ａが操作片５の梃子片５２を下方に向かって押圧するため、操作片５は上部かしめ軸５４回りにハンドル６と共回りする。
【００４７】
そして、操作片５がハンドル６と共回りすると、操作片５の軸受片５３に設けられた下部かしめ軸５５は上部かしめ軸５４回りの反時計方向に周回し、この周回が連結孔４４を介してロックブロック４に伝達され、これによってロックブロック４は、後方に移動してロック片４２がケーシング２の前室２ａ内に没入するため、ロック装置１のロック状態が解除され、操作したハンドル６をそのまま引いてドアＤを開けることができる。
【００４８】
また、ロック装置１のロック状態でロックロッド７をケーシング２の係止孔２１ｂおよびハンドル６のロック孔６２ａの双方に差し通すことにより、または、シリンダ錠８４の操作で干渉板８１を干渉位置に位置設定することにより、図８の（ロ）に示すように、ハンドル６は、その上部かしめ軸５４回りの回動ができなくなる施錠状態に設定されるため、ハンドル操作を行ってドアＤを開けることができない。
【００４９】
このハンドル６の施錠状態において、図８の（ロ）に示すように、冷蔵庫の内側から鉛筆その他の棒状体Ｒを底蓋３の操作孔３３を通してケーシング２の中間室２ｂ内に差し入れると、棒状体Ｒの先端部は操作片本体５１の操作縁面５１ｃに当接する。この状態で棒状体Ｒを上方に向けて押圧することにより、操作片５は上部かしめ軸５４回りに反時計方向に回動し、これによる下部かしめ軸５５の上部かしめ軸５４回りの反時計方向への周回にってロックブロック４はコイルばね４７の付勢力に抗して後方に向けて移動し、ロック片４２がケーシング２内に没入したロック解除状態になる。
【００５０】
従って、たとえ作業者が冷蔵庫の中に閉じ込められても、ロックブロック４を操作することによりロック装置１のロック状態が解除されるため、冷蔵庫の内側からドアＤを開けることができ、冷蔵庫内への閉じ込め事故を確実に防止することができる。
【００５１】
そして、本発明においては、干渉板８１がケーシング２と一体の中央隔壁２６によって支持されているため、ロックロッド７採用によるロック状態とされておらず、シリンダ錠８４の施錠操作でハンドル６が干渉板８１のみによっ回動阻止された状態になっている場合であっても、ハンドル６の上部かしめ軸５４回りの回動は、当接突片６５が干渉板８１を介して中央隔壁２６に受けられることにより確実に阻止される。
【００５２】
本発明は上記の実施形態に限定されるものではなく、以下の内容をも包含するものである。
【００５３】
（１）上記の実施形態においては、ロック装置１は冷蔵庫のドアに適用されているが、本発明は、ロック装置１が冷蔵庫に適用されることに限定されるものではなく、通常の建造物のドア等、冷蔵庫以外の開閉ドアに適用してもよい。
【００５４】
（２）上記の実施形態において、付勢手段として用いられるロックブロック４付勢用のコイルばね４７を、二重コイルばねにしてもよい。二重コイルばねは、外側コイルばねの中に同一長さ寸法の内側コイルばねを挿入しものであり、こうすることによってコイルばねの径寸法を大きくすることなくコイルばねの弾性係数を大きくすることができる。そして、外側コイルばねと内側コイルばねとの巻き方向を異ならせておくことにより、両コイルばねが相互に噛み合うという不都合を回避することができる。
【００５５】
【発明の効果】
本発明の請求項１記載のドアロック構造によれば、施錠手段の施錠操作で干渉部材を干渉位置に位置設定することにより、干渉部材は、ハンドルのロックブロック側端縁に当接される面と反対側の面が、ケーシングの対向壁面間に架橋された隔壁に支持されるため、施錠状態でハンドルを強く操作することによりその端縁が干渉部材に当接してそれを強く押圧しても、干渉部材は隔壁に支持されていることによってハンドル操作が確実に阻止され、これによって施錠状態でありながら強いハンドル操作で施錠機構が破壊されてドアーが開いてしまうとともに、その後施錠手段が使用不能になるような従来の不都合を確実に回避することができる。
【００５６】
本発明の請求項２記載のドアロック構造によれば、操作片を、ハンドルが施錠手段によって施錠された状態でロックブロックを引き戻し得るように構成し、しかも、ケーシングの裏面側には操作片操作用の操作孔を穿設したため、ハンドル操作でロックブロックのロック片をハウジング内に没入させた状態でドアを閉止することにより、ロックブロックは付勢手段の付勢力によってロック片を突出させる方向に移動し、これによってロック片がドア外部のフック部材に係止され、ドアをロックされた状態にすることができる。また、ドアがロックされた状態でハンドルを所定の方向に操作することにより操作片の働きでロックブロックが引き戻されてロック片がケーシング内に没入するため、ドアのロック状態が解除され、これによってドアを開放し得る状態にすることができる。
【００５７】
そして、ロック片がケーシングから外部に突出した状態でハンドルが施錠されてハンドル操作を行い得ない状態になっても、ケーシングの裏面側の操作孔からの操作によって操作片を操作することにより、ハンドル操作と独立してロックブロックをケーシング内に引き入れることができ、ドアがロックされた状態で施錠されても、ドアの内側からの操作片の操作でロック状態を容易に解除することができる。
【００５８】
従って、このドアロック構造を、例えば冷蔵庫に適用することにより、従来頻発していた冷蔵庫内への閉じ込め事故を確実に防止することができる。
【００５９】
本発明の請求項３記載のドアロック構造によれば、操作片およびハンドルを、いずれもケーシング内に設けられた支持軸回りに回動自在に軸支し、またロックブロックを、ハンドル操作に連動した操作片の支持軸回りの所定方向への回動によってロック片がケーシング内に没入するように操作片に連結し、さらに操作片を、ハンドル操作と独立して所定方向への支持軸回りの回動を行い得るようにハンドルに当接させるようにしたため、通常は、ハンドルを所定の方向に操作することにより、ハンドルは支持軸回りに回動するとともに、操作片はハンドルに同心で同伴回動してロックブロックをケーシング内に引き入れ、これによってロック片がケーシング内に没入してドアのロック状態を解除することができる。
【００６０】
また、操作片は、それを直接操作することによってハンドルとは独立した状態で支持軸回りに回動してロックブロックをケーシング内に引き入れるように動作するため、たとえハンドルが施錠されていても操作片の操作のみでドアのロック状態を解除することができる。
【００６１】
そして、ハンドルと操作片とはいずれも一つの支持軸回りに回動自在に軸支されているため、ドアのロック状態を解除する機構を簡単な構造にすることができ、これによって故障が起こり難くなるとともに、ロック解除操作が単純になり、緊急時に確実、かつ、迅速にロック解除操作を行うことができる。
【図面の簡単な説明】
【図１】本発明に係るドアロック構造が適用されたロック装置の一実施形態を示す分解斜視図である。
【図２】図１のロック装置の組み立て斜視図である。
【図３】図２のＡ−Ａ線断面図である。
【図４】図３のＢ−Ｂ線断面図である。
【図５】施錠手段の分解斜視図である。
【図６】施錠手段を説明するためのロック装置の部分切り欠き斜視図であり、施錠手段による施錠が解除された状態を示している。
【図７】施錠手段を説明するためのロック装置の部分切り欠き斜視図であり、施錠手段により施錠された状態を示している。
【図８】本発明の作用を説明するための説明図であり、（イ）はロック装置がロックされた状態、（ロ）はハンドルを操作することなくロック装置のロックが解除された状態をそれぞれ示している。
【符号の説明】
１  ロック装置          ２  ケーシング
２ａ  前室              ２ｂ  中間室
２ｃ  後室              ２１  側壁
２１ａ  軸支孔          ２１ｂ  係止孔
２２  前面壁            ２２ａ  切欠き溝
２３  天井板            ２３ａ  ばね装着孔
２３ｂ  シリンダ錠装着孔
２４  前方隔壁          ２５  後方隔壁
２６  中央隔壁（隔壁）
２６ａ  嵌挿凹溝
２６ｂ  切込み溝        ２６ｃ  舌片
２７  凹没部            ２７ａ  装着孔
２８  カバー            ２８ａ  装着爪
３  底蓋                ３１  長孔
３２  装着用ねじ孔      ３３  操作孔
４  ロックブロック      ４１  ブロック本体
４２  ロック片          ４３  ブラケット
４４  連結孔            ４５  角孔
４６  ばね装着室        ４７  コイルばね
５  操作片              ５１  操作片本体
５１ａ  軸支孔          ５１ｂ  傾斜面
５１ｃ  操作縁面        ５２  梃子片
５３  軸受片            ５３ａ  下部軸支孔
５４  上部かしめ軸（支持軸）
５５  下部かしめ軸      ６  ハンドル
６１  把手              ６２  コ字部材
６２ａ  ロック孔        ６３  側板
６３ａ  貫通孔          ６４  天板
６４ａ  当接部          ７  ロックロッド
７１  棒体              ７２  頭部
８  施錠手段            ８１  干渉板（干渉部材）
８１ａ  操作孔          ８１ｂ案内孔
８２  取付けねじ        ８２ａ  スペーサー
８３  コイルばね        ８４  シリンダ錠
８５  外筒              ８６  内筒８６
８６ａ  操作突起        ８６ｂ  キー孔
Ｄ  ドア                Ｒ  棒状体
【図１】
0003561445.tif 000002
【図２】
0003561445.tif 000003
【図３】
0003561445.tif 000004
【図４】
0003561445.tif 000005
【図５】
0003561445.tif 000006
【図６】
0003561445.tif 000007
【図７】
0003561445.tif 000008
【図８】
0003561445.tif 000009